(57)【要約】【課題】簡易に組立できる照明器具を提供する。【解決手段】照明器具１は、光源を備える灯体部２と、灯体部２を支持する支持部３とが分離可能に構成された照明器具であって、灯体部２は、外周に突起部２５を備え、前記支持部に嵌め込まれ、支持部３は、突起部２５を案内する切欠き３５と、切欠き３５に案内された突起部２５を切欠き３５の縁部に押圧して突起部２５の移動を規制する固定部材３３と、固定部材３３が嵌合固定される被固定部３とを備える。【選択図】図７
2020035725.tif 000002
【特許請求の範囲】
【請求項１】
光源を備える灯体部と、前記灯体部を支持する支持部とが分離可能に構成された照明器具であって、
前記灯体部は、外周に突起部を備え、前記支持部に嵌め込まれ、
前記支持部は、  前記突起部を案内する切欠きと、
前記切欠きに案内された前記突起部を前記切欠きの縁部に押圧して前記突起部の移動を規制する固定部材と、
前記固定部材が嵌合固定される被固定部とを備える
照明器具。
【請求項２】
前記被固定部は、突出部であり、
前記突出部は、凹部を備え、
前記固定部材は、切り起こし部を備え、
前記固定部材は、前記切り起こし部が、前記凹部に嵌り込んでいる
請求項１記載の照明器具。
【請求項３】
前記固定部材は、バネ部を備え、
前記バネ部は、復元力により前記突起部を前記切欠きの縁部に押圧する
請求項１又は２記載の照明器具。
【請求項４】
前記切欠きは、押圧により変形した前記バネ部が位置する幅広部分を含む
請求項１から３のいずれか１項記載の照明器具。
【発明の詳細な説明】
【技術分野】
【０００１】
本発明は、天井に埋め込んで用いられる照明器具に関する。
【背景技術】
【０００２】
従来、天井に埋め込まれ下方へ光を照射するダウンライトと呼ばれる照明器具が知られている。特許文献１に記載の照明器具は、発光素子が実装された基板を備える筐体と化粧枠とを備え、化粧枠は３カ所のねじ穴を備え、筐体は化粧枠のねじ穴にねじで固定されている。特許文献２に記載の照明器具は、器具ユニットが枠体にねじで固定されている。
【先行技術文献】
【特許文献】
【０００３】
【特許文献１】特開２０１３−２０６８５０号公報
【特許文献２】特開２０１８−１１３２２７号公報
【発明の概要】
【発明が解決しようとする課題】
【０００４】
特許文献１に記載の照明器具においては化粧枠と筐体とを上から下へネジ止めし、特許文献２の照明器具においては側面から中心方向に向けてネジ止めするが、ネジ止めには工数がかかるため、より簡易に組立のできる構成が求められる。
【０００５】
本発明は、このような事情に鑑みなされたものであり、簡易に組立できる照明器具を提供することを目的とする。
【課題を解決するための手段】
【０００６】
上記課題を解決するため、本発明に係る照明器具は、光源を備える灯体部と、前記灯体部を支持する支持部とが分離可能に構成された照明器具であって、前記灯体部は、外周に突起部を備え、前記支持部に嵌め込まれ、前記支持部は、前記突起部を案内する切欠きと、前記切欠きに案内された前記突起部を前記切欠きの縁部に押圧して前記突起部の移動を規制する固定部材と、前記固定部材が嵌合固定される被固定部とを備える。
【発明の効果】
【０００７】
上述の構成により、本発明に係る照明器具は、固定部材を嵌合により固定できるので、照明器具を簡易に組み立てることができる。
【図面の簡単な説明】
【０００８】
【図１】本発明の一実施形態に係る照明器具の下方斜視図
【図２】図１の照明器具について灯体部と支持部とに分離した状態示す模式図
【図３】（ａ）支持部が備えるコーン部及び固定部材の構成を示す模式図、（ｂ）図３（ａ）の部分Ｐ１を水平方向から視て拡大した図
【図４】（ａ）固定部材の構造を示す斜視図、（ｂ）固定部材の構造を示す側面図、（ｃ）固定部材と突出部との嵌合固定状態について説明するための図
【図５】（ａ）灯体部を支持部に垂直方向に入れ込んだ場合の照明器具を示す図、（ｂ）図５（ａ）を上面から視た図
【図６】（ａ）灯体部を支持部に垂直方向に入れ込んだ後、回転させた（回転途中）場合の照明器具を示す図、（ｂ）灯体部と支持部との嵌合部分近傍（図６（ａ）の部分Ｐ２）を水平方向から視て拡大した図
【図７】（ａ）灯体部を支持部に垂直方向に入れ込んだ後、回転させた（回転完了）場合の照明器具を示す図、（ｂ）灯体部と支持部との嵌合部分近傍（図７（ａ）の部分Ｐ３）の拡大図
【発明を実施するための形態】
【０００９】
以下、本発明の一実施形態について、図面を参照しつつ説明する。
【００１０】
＜１．第１実施形態＞
＜１．１．構成＞
図１は、本発明の第１実施形態に係る照明器具１の下方斜視図である。照明器具１は、開口部１１より光を発する、いわゆるダウンライトであり、天井等の設置場所に設けられた穴部に嵌め込まれるように取り付けられる。なお、以下の説明では、照明器具１において開口部１１が設けられた面に沿う方向、すなわち図１に表すｘ軸を水平方向、開口部１１が設けられた面に垂直な方向、すなわち図１に表すｙ軸を垂直方向といい、ｙ軸の＋方向を上、ｙ軸の−方向を下という。
【００１１】
図２に示すように、照明器具１は、光源を備える灯体部２、及び、灯体部２を支持する支持部３が分離可能に構成されている。これにより、例えば、灯体部２の動作に不具合があるような場合に正常動作する他の灯体部２に取り換えたり、支持部３に、異なる色温度の光を発する灯体部２を取り付けたりなど、柔軟な構成、部材の交換及び共用化が容易になる。
【００１２】
灯体部２は、ＬＥＤ（Ｌｉｇｈｔ  Ｅｍｉｔｔｉｎｇ  Ｄｉｏｄｅ）などの光源を有する本体部２１、及び光源から伝えられる熱を放熱するヒートシンク２２を備える。本体部２１は、略円筒状であり外周に、灯体部２と支持部３とを嵌合させて固定するための突起部２５を備える。
【００１３】
支持部３は、図２に示すようにコーン部３１、枠部３２及び固定部材３３を備える。
【００１４】
枠部３２は、円環状の枠状部材であり、コーン部３１が内周側に嵌め込まれて水平方向に回転可能に固定される。枠部３２は、鍔部３２１と３個の板バネ３２２とを備えており、設置場所の天井板に設けられた穴部に嵌め込まれ、鍔部３２１と板バネ３２２とにより、天井板を挟み込み、天井に固定される。
【００１５】
コーン部３１は、図３(ａ)に示すように、一方（下側）の開口が拡径する略円筒状の部材であり、他方（上側）の開口部分には切欠き３５及び切欠き３８が形成されており、他方の開口の内周に灯体部２の外周が接するように、灯体部２が嵌め込まれる。
【００１６】
切欠き３５は、灯体部２と支持部３とを嵌合させる場合に、突起部２５を案内する機能を有する。切欠き３５は、図３（ｂ）に示すようにコーン部３１における他方の開口縁、及び、切欠き縁部３６ａ〜切欠き縁部３６ｇで囲まれた範囲が切り欠かれたものである。切欠き３５は、側面視において、図３（ｂ）に示すように、上下方向に形成された切欠き部３５ａ、切欠き部３５ａに連続し、左右方向に形成された切欠き部３５ｂ、切欠き部３５ｂに連続し、上下方向に切欠きが幅広になるよう形成された幅広部分である切欠き部３５ｃを含む。なお、図３（ｂ）において、切欠き３５を切欠き部３５ａ〜切欠き部３５ｃに分け、切欠き部３５ａ及び切欠き部３５ｂ、切欠き部３５ｂ及び切欠き部３５ｃの境目を破線で模式的に示したのは、単に説明の便宜上であり、切欠き３５を複数の切欠き部に分ける必要は無い。
【００１７】
コーン部３１の切欠き縁部３６ｂからは、固定部材３３が嵌合固定される被固定部の一例として、円筒の中心軸から外方へ向かう方向に突出する板状の突出部３１１が設けられている。突出部３１１には、図３（ａ）に示すように、固定部材３３が嵌め込まれる。
【００１８】
固定部材３３は、灯体部２と支持部３とを嵌合させる場合に、突起部２５の動きを規制して、灯体部２と支持部３の嵌合を強固にするための部材である。固定部材３３は、板状の金属を切断、穴あけ、及び折り曲げ加工して形成された板バネであり、図４（ａ）に示すように、平坦なバネ先端部３３１、曲げ変形され復元力を有するバネ部３３２、断面コの字状に曲げ加工されたバネ本体部３３３を備える。
【００１９】
バネ本体部３３３は、図４（ａ）中のＡの方向から見て、図４（ｂ）に示すように、第１面部３３３ａ、第２面部３３３ｂ及び第３面部３３３ｃがコの字状になっており、第１面部３３３ａは、切り起こし加工により形成され、コの字の開放側を基端とし先端にいくにつれて下方の第３面部３３３ｃに近づくよう傾斜する切り起こし部３３３ｄを備える。
【００２０】
固定部材３３は、図４（ｃ）に示すように、第１面部３３３ａ及び第３面部３３３ｃがコーン部３１の突出部３１１を挟み込んでコーン部３１に固定される。
【００２１】
ここで、突出部３１１には、図３（ａ）及び図４（ｃ）に示すように、凹部３１１ａが設けられており、突出部３１１が、バネ本体部３３３の第１面部３３３ａ及び第３面部３３３ｃの間にコの字の開放側から入れ込まれると、図４（ｃ）に示すように切り起こし部３３３ｄが凹部３１１ａに嵌り込んで固定部材３３が突出部３１１に嵌合固定される。ここで、切り起こし部３３３ｄは、傾斜しているので、凹部３１１ａに嵌り込むまでは突出部３１１の表面に押されて、第１面部３３３ａと略面一になるよう容易に変形するが、凹部３１１ａに嵌り込んだ後は元の形に復元する。このため、固定部材３３をコーン部３１に取り付けた後は、固定部材３３を引っ張っても、切り起こし部３３３ｄが凹部３１１ａの側面に引っかかるので、容易に固定部材３３がコーン部３１（より詳細には突出部３１１）から離れず、固定部材３３がコーン部３１に強固に固定される。
【００２２】
なお、図３（ａ）に示すように、コーン部３１には、切欠き３５と同様の機能を有する切欠き３８が設けられている。またコーン部３１は、突出部３１１と同様の突出部３１２を備え、固定部材３３と同様の機能を有する固定部材３４が突出部３１２に固定される。切欠き、突出部、及び固定部材の数は、灯体部２と支持部３とを固定する強度の要請などに鑑み、必要に応じて増減させてよい。
【００２３】
＜１．２．灯体部２及び支持部３の嵌合＞
以下、図２に示すように分離された状態である灯体部２と支持部３を嵌合させる場合について説明する。
【００２４】
灯体部２と支持部３を嵌合させる場合、図５（ａ）に示すように、灯体部２の突起部２５が、コーン部３１の切欠き３５の開放端部分にくるよう位置合わせされ、突起部２５が切欠き部３５ａに案内されて固定部材３３の第１面部３３３ａの上面に当接するところまで、灯体部２が支持部３に対して垂直方向に押し込まれる。
【００２５】
次いで、灯体部２が、支持部３に対して図５（ｂ）に示す回転方向ｒｏに回転される。すると、突起部２５が切欠き部３５ｂ内を切欠き３５の突き当りに位置する切欠き縁部３６ｅに向けて進む。その途中において、図６（ａ）及び図６（ｂ）に示すように、突起部２５がバネ部３３２を下向きに押圧し、バネ部３３２は、押し下げられ変形するが、切欠き部３５ｂから下方へ逃げて、切欠き部３５ｃ内に位置することができる。この構成により、バネ部３３２の変形を許容できるので、灯体部２と支持部３との固定にバネを用いることができ、柔軟な器具設計が可能となる。次いで、灯体部２の支持部３に対する回転を続けると、図７（ａ）及び図７（ｂ）に示すように、バネ部３３２が押し下げられた状態から弾性力によって元の状態に戻っていき、突起部２５が切欠き部３５ｂに面する切欠き縁部３６ｅに達すると、バネ部３３２の弾性力によりバネ先端部３３１が、突起部２５を切欠き縁部３６ｅ及び３６ｆに抑えつけられた状態になる。この状態では、灯体部２は回転方向ｒｏと逆方向には回転しにくく、灯体部２は、支持部３に嵌合され固定された状態となる。
【００２６】
＜２．変形例＞
以上、本発明に係る照明器具の実施形態を説明したが、例示した照明器具を以下のように変形することも可能であり、本発明が上述の実施形態で示した通りの照明器具に限られないことは勿論である。
（１）上記の実施形態では、固定部材３３、３４として２個の板バネを有することとしたが、単数又は３個以上の板バネで構成してもよい。
（２）上記の実施形態では、光源としてＬＥＤ光源を用いているが、本発明はこれに限られない。光源として白熱球や蛍光灯等の他の光源を用いてもよい。
（３）上記の実施形態では、突起部２５は本体部２１の略円筒状の表面から突出する構成について開示していたが、これに限らず、例えば、略円筒状の内面から円筒の中心軸方向へと内向きに突出するなど、特定の面から突出するよう構成すれば足りる。この場合、突起部２５の配置に対応する位置に、切欠き３５及び固定部材３３を備えることとすればよい。
（４）上記の実施形態や変形例に登場した各要素を、矛盾が生じない範囲で、任意に組み合わせてもよい。
【００２７】
＜３．発明の抽出＞
上記の実施形態および変形例から抽出される発明として、例えば、以下の発明を挙げることができる。
【００２８】
（１）光源を備える灯体部と、前記灯体部を支持する支持部とが分離可能に構成された照明器具であって、前記灯体部は、外周に突起部を備え、前記外周が接するよう前記支持部に嵌め込まれ、前記支持部は、前記突起部を案内する切欠きと、前記切欠きに案内された前記突起部を前記切欠きの縁部に押圧して前記突起部の移動を規制する固定部材と、前記固定部材が嵌合固定される被固定部とを備える。
【００２９】
この構成によれば、固定部材を嵌合により固定できるので、照明器具を簡易に組み立てることができる。
【００３０】
（２）前記被固定部は、突出部であり、前記突出部は、凹部を備え、前記固定部材は、切り起こし部を備え、前記固定部材は、前記切り起こし部が、前記凹部に嵌り込んでいることとしてもよい。
【００３１】
この構成によれば、切り起こしで簡易に形成できる切り起こし部によって固定部材を突出部に嵌合固定できるので、照明器具を簡易に組み立てることができる。
【００３２】
（３）前記固定部材は、バネ部を備え、前記バネ部は、復元力により前記突起部を前記切欠きの縁部に押圧することとしてもよい。
【００３３】
この構成によれば、灯体部と支持部との固定を強固にすることができる。
【００３４】
（４）前記切欠きは、押圧により変形した前記バネ部が位置する幅広部分を含むこととしてもよい。
【００３５】
この構成によれば、バネ部の変形を許容できるので、灯体部と支持部との固定にバネを用いることができ、柔軟な器具設計が可能となる。
【符号の説明】
【００３６】
１      照明器具
２      灯体部
３      支持部
１１      開口部
２１      本体部
２２      ヒートシンク
２５      突起部
３１      コーン部
３２      枠部
３３、３４      固定部材
３５、３８      切欠き
３５ａ、３５ｂ、３５ｃ                切欠き部
３６ａ、３６ｂ、３６ｃ、３６ｄ、３６ｅ、３６ｆ、３６ｇ      切欠き縁部
３１１      突出部
３１１ａ    凹部
３１２      突出部
３３１      バネ先端部
３３２      バネ部
３３３      バネ本体部
３３３ａ    第１面部
３３３ｂ    第２面部
３３３ｃ    第３面部
３３３ｄ    切り起こし部
【図１】
2020035725.tif 000003
【図２】
2020035725.tif 000004
【図３】
2020035725.tif 000005
【図４】
2020035725.tif 000006
【図５】
2020035725.tif 000007
【図６】
2020035725.tif 000008
【図７】
2020035725.tif 000009